(57)【要約】【課題】  効率が向上したプラズマディスプレイパネルを提供する。【解決手段】  それぞれ互いに対向する方向に延びて維持放電を起こす１対の第１電極および第２電極が複数個配設され、前記第１電極と第２電極との互いに対向する端部に少なくとも一つの引込部および突起部がそれぞれ備えられた第１基板と、前記第１基板に対向してその間に放電空間が介在され、前記第１および第２電極と交差するアドレス電極が複数個配設された第２基板と、前記第１基板と第２基板間で前記放電空間を複数個の放電セルに区画する隔壁と、前記各放電セルに形成された蛍光体と、を含み、前記一対の第１電極および第２電極の各引込部間の距離をＡとし、各突起部間の距離をＢとし、前記放電空間内の放電ガスの圧力をＰとする時、前記Ａ、ＢおよびＰは「１８０≦（Ａ＋Ｂ）＋Ｐ×０．１≦２４０」の関係を満足することを特徴とするプラズマディスプレイパネル。これにより、放電開始電圧を低めると同時に効率を向上させ、かつ単位画素のサイズを縮小して高精細化が可能になる。【選択図】            図６
2005063954.tif 000002
【特許請求の範囲】
【請求項１】
それぞれ互いに対向する方向に延びて維持放電を起こす１対の第１電極および第２電極が複数個配設され、前記第１電極と第２電極との互いに対向する端部に少なくとも一つの引込部および突起部がそれぞれ備えられた第１基板と、
前記第１基板に対向してその間に放電空間が介在され、前記第１および第２電極と交差するアドレス電極が複数個配設された第２基板と、
前記第１基板と第２基板間で前記放電空間を複数個の放電セルに区画する隔壁と、
前記各放電セルに形成された蛍光体と、を含み、
前記一対の第１電極および第２電極の各引込部間の距離をＡとし、各突起部間の距離をＢとし、前記放電空間内の放電ガスの圧力をＰとする時、前記Ａ、ＢおよびＰは下記数式１の関係を満足することを特徴とするプラズマディスプレイパネル。
【数１】
2005063954.tif 000005
【請求項２】
前記一対の第１電極および第２電極の引込部は各電極の中心部に備えられたことを特徴とする請求項１に記載のプラズマディスプレイパネル。
【請求項３】
前記一対の第１電極および第２電極の突起部は各電極の少なくとも一側部に備えられたことを特徴とする請求項１に記載のプラズマディスプレイパネル。
【請求項４】
前記一対の第１電極および第２電極の突起部は各電極の両側部に備えられ、互いに対称であることを特徴とする請求項３に記載のプラズマディスプレイパネル。
【請求項５】
前記一対の第１電極および第２電極の引込部は前記突起部から所定の曲率を持つ曲線状に湾曲されたことを特徴とする請求項１に記載のプラズマディスプレイパネル。
【請求項６】
前記第１および第２電極は互いに対向する方向に突出した突出電極を持ち、前記引込部および突起部は前記突出電極に備えられたことを特徴とする請求項１に記載のプラズマディスプレイパネル。
【請求項７】
前記第１および第２電極の突出電極は互いに対向する方向の反対側端部が各放電セルの中心部から遠ざかるほど幅が狭くなるように備えられたことを特徴とする請求項６に記載のプラズマディスプレイパネル。
【請求項８】
前記第１および第２電極はそれぞれバス電極および前記バス電極から互いに対向する方向に延びた透明電極で備えられ、前記引込部および突起部は前記透明電極に備えられたことを特徴とするプ請求項１に記載のラズマディスプレイパネル。
【請求項９】
前記第１および第２電極の透明電極は互いに対向する方向の反対側端部が各放電セルの中心部から遠ざかるほど幅が狭くなるように備えられたことを特徴とする請求項８に記載のプラズマディスプレイパネル。
【請求項１０】
前記隔壁は前記アドレス電極の間に前記アドレス電極に沿って延びたことを特徴とする請求項１に記載のプラズマディスプレイパネル。
【請求項１１】
前記隔壁は前記放電セルを取り囲むように備えられた格子状であることを特徴とする請求項１に記載のプラズマディスプレイパネル。
【請求項１２】
前記隔壁は前記放電セルの周囲に非放電領域をさらに区画するように備えられたことを特徴とする請求項１に記載のプラズマディスプレイパネル。
【請求項１３】
前記隔壁は前記放電セルを取り囲む八角形構造であることを特徴とする請求項１２に記載のプラズマディスプレイパネル。
【請求項１４】
前記放電空間内の放電ガスの圧力は４５０Ｔｏｒｒ以上であることを特徴とする請求項１に記載のプラズマディスプレイパネル。
【請求項１５】
前記放電空間内の放電ガスの圧力は６００Ｔｏｒｒ以下であることを特徴とする請求項１４に記載のプラズマディスプレイパネル。
【請求項１６】
前記維持放電の開始電圧は１８０Ｖ以上２４０Ｖ以下であることを特徴とする請求項１に記載のプラズマディスプレイパネル。
【請求項１７】
前記放電ガスは少なくともキセノンを含むことを特徴とする請求項１に記載のプラズマディスプレイパネル。
【請求項１８】
前記放電ガスのうちキセノンの分圧は少なくとも１０％であることを特徴とする請求項１７に記載のプラズマディスプレイパネル。
【請求項１９】
それぞれ互いに対向する方向に延びて維持放電を起こす１対の第１電極および第２電極が複数個配設され、前記第１電極と第２電極との互いに対向する端部に少なくとも一つの引込部および突起部がそれぞれ備えられた第１基板と、
前記第１基板に対向してその間に放電空間が介在され、前記第１および第２電極と交差するアドレス電極が複数個配設された第２基板と、
前記第１基板と第２基板との間で前記放電空間を複数個の放電セルに区画する隔壁と、
前記各放電セルに形成された蛍光体と、を含み、
前記放電空間内の放電ガスの圧力が４５０Ｔｏｒｒ以上であることを特徴とするプラズマディスプレイパネル。
【請求項２０】
前記一対の第１電極および第２電極の引込部は各電極の中心部に備えられたことを特徴とする請求項１９に記載のプラズマディスプレイパネル。
【請求項２１】
前記一対の第１電極および第２電極の突起部は各電極の少なくとも一側部に備えられたことを特徴とする請求項１９に記載のプラズマディスプレイパネル。
【請求項２２】
前記一対の第１電極および第２電極の突起部は各電極の両側部に備えられ、互いに対称であることを特徴とする請求項２１に記載のプラズマディスプレイパネル。
【請求項２３】
前記一対の第１電極および第２電極の引込部は前記突起部から所定の曲率を持つ曲線状に湾曲されたことを特徴とする請求項１９に記載のプラズマディスプレイパネル。
【請求項２４】
前記第１および第２電極は互いに対向する方向に突出した突出電極を持ち、前記引込部および突起部は前記突出電極に備えられたことを特徴とする請求項１９に記載のプラズマディスプレイパネル。
【請求項２５】
前記第１および第２電極の突出電極は互いに対向する方向の反対側端部が各放電セルの中心部から遠ざかるほど幅が狭くなるように備えられたことを特徴とする請求項２４に記載のプラズマディスプレイパネル。
【請求項２６】
前記第１および第２電極はそれぞれバス電極および前記バス電極から互いに対向する方向に延びた透明電極で備えられ、前記引込部および突起部は前記透明電極に備えられたことを特徴とする請求項１９に記載のプラズマディスプレイパネル。
【請求項２７】
前記第１および第２電極の透明電極は互いに対向する方向の反対側端部が各放電セルの中心部から遠ざかるほど幅が狭くなるように備えられたことを特徴とする請求項１９に記載のプラズマディスプレイパネル。
【請求項２８】
前記隔壁は前記アドレス電極の間に前記アドレス電極に沿って延びたことを特徴とする請求項１９に記載のプラズマディスプレイパネル。
【請求項２９】
前記隔壁は前記放電セルを取り囲むように備えられた格子状であることを特徴とする請求項１９に記載のプラズマディスプレイパネル。
【請求項３０】
前記隔壁は前記放電セルの周囲に非放電領域をさらに区画するように備えられたことを特徴とする請求項１９に記載のプラズマディスプレイパネル。
【請求項３１】
前記隔壁は前記放電セルを取り囲む八角形構造であることを特徴とする請求項３０に記載のプラズマディスプレイパネル。
【請求項３２】
前記放電空間内の放電ガスの圧力は６００Ｔｏｒｒ以下であることを特徴とする請求項１９に記載のプラズマディスプレイパネル。
【請求項３３】
前記維持放電の開始電圧は１８０Ｖ以上２４０Ｖ以下であることを特徴とする請求項１９に記載のプラズマディスプレイパネル。
【請求項３４】
前記放電ガスは少なくともキセノンを含むことを特徴とする請求項１９に記載のプラズマディスプレイパネル。
【請求項３５】
前記放電ガスのうちキセノンの分圧は少なくとも１０％であることを特徴とする請求項３４に記載のプラズマディスプレイパネル。
【発明の詳細な説明】
【技術分野】
【０００１】
本発明はプラズマディスプレイパネル（以下、ＰＤＰ）に係り、より詳細には放電効率をさらに向上させうるプラズマディスプレイパネルに関する。
【背景技術】
【０００２】
通常的にＰＤＰはガス放電現象を利用して画像を表示するためのものであって、表示容量、輝度、コントラスト、残像、視野角などの各種表示能力が優秀であり、陰極線管に代えられる表示装置として脚光を浴びている。このようなＰＤＰは電極に印加される直流または交流電圧によって電極間のガスから放電が発生し、この放電に伴う紫外線の放射によって蛍光体を励起して発光する。
【０００３】
ＰＤＰは放電メカニズムによって交流型（ＡＣ型）と直流型（ＤＣ型）とに区分できるが、前記直流型はＰＤＰを構成する各電極が放電セルに封入されるガス層に直接的に露出されてそれに印加される電圧がそのまま放電ガス層に印加されるものであり、前記交流型は各電極が放電ガス層および誘電体層によって分離されて放電現象時に発生する荷電粒子を前記電極が吸収せずに壁電荷を形成するようになり、このような壁電荷を利用して放電を起こすものである。
【０００４】
一般的なＰＤＰは図１に図示されたように互いに対向した一対の第１および第２基板１０、１１を具備し、前記第２基板１１上には所定のパターンで形成されたアドレス電極１２と、誘電体層１３とが順に形成され、この誘電体層１３上には放電距離を維持させ、かつ画素間の電気的光学的なクロストークを防止する隔壁１４が形成される。この隔壁１４により区画された放電空間内の少なくとも一側には蛍光体層１５が形成される。
【０００５】
前記第２基板１１と結合される第１基板１０には前記アドレス電極１２と直交するように所定のパターンのＸ電極ＸおよびＹ電極Ｙが備えられる。このＸ電極ＸおよびＹ電極Ｙはそれぞれ透明電極１６ｘ、１６ｙおよびバス電極１７ｘ、１７ｙで備えられる。このＸ電極ＸとＹ電極Ｙおよびアドレス電極１２が交差する部分が一つのセルを形成する。
【０００６】
そして、前記第１基板１０の下面には前記Ｘ電極ＸおよびＹ電極Ｙが埋め込まれる誘電体層１８が形成され、その下部にはＭｇＯで備えられた保護層１９が形成される。前記のような第１基板１０および第２基板１１により区画された放電空間には所定のガスが注入される。
【０００７】
このように構成されたプラズマ表示装置は前記アドレス電極１２と前記Ｘ電極ＸおよびＹ電極Ｙのうちいずれか一電極に電圧が印加されることによってこれらの間でアドレス放電が起きて第１基板１０の誘電体層１８の下面に荷電粒子が形成される。この状態で維持放電が起きるが、この維持放電は該当するセルのＸ電極ＸとＹ電極Ｙ間に所定の電圧が印加されることによって第１基板１０の誘電体層１８の表面で起きる。この時、ガス層でプラズマが形成されることによって形成される紫外線により蛍光体が励起されて画素を形成する。
【０００８】
前記維持放電は図２で分かるように、所定のギャップＧ１を持つＸ電極ＸおよびＹ電極Ｙの透明電極１６ｘ、１６ｙの間で起きるが、この時、維持放電の開始はこのギャップＧ１でなされる。
【０００９】
ところで、このようにギャップＧ１で始まった放電が効果的にセル全体に広がるためには放電の開始が広い領域にわたってなされなければならないが、図２のようにギャップＧ１が一定の間隔で形成されている場合には放電の開始が局部的になされて放電の拡散が円滑になされないという問題がある。これは放電維持電極であるＸ電極ＸおよびＹ電極Ｙに電圧を印加して放電を起こす時に、前記透明電極１６ｘ、１６ｙの全面にわたって均一な電場が形成されるものではなく、透明電極の部分のうち放電に寄与しない不要な部分が多くなるからである。このような部分は放電セル内での放電効率を落とすだけでなく放電セルの相当部分を遮蔽して輝度を減少させる。
【００１０】
また、図２のようなギャップＧ１を持つ場合には特定部分で放電集中現象が起きて放電セル内で放電の拡散が円滑にならないという問題がある。
【発明の開示】
【発明が解決しようとする課題】
【００１１】
本発明は前記のような問題を解決するために案出されたものであり、放電開始電圧を低めると同時に効率を向上させうるＰＤＰを提供するところにその目的がある。
【００１２】
本発明の他の目的は、単位画素のサイズを縮小して高精細化が可能なＰＤＰを提供することにある。
【課題を解決するための手段】
【００１３】
前記のような技術的課題を解決するために、本発明はそれぞれ互いに対向する方向に延びて維持放電を起こす１対の第１電極および第２電極が複数個配設され、前記第１電極と第２電極との互いに対向する端部に少なくとも一つの引込部および突起部がそれぞれ備えられた第１基板と、前記第１基板に対向してその間に放電空間が介在され、前記第１および第２電極と交差するアドレス電極が複数個配設された第２基板と、前記第１基板と第２基板間で前記放電空間を複数個の放電セルに区画する隔壁と、前記各放電セルに形成された蛍光体と、を含み、前記一対の第１電極および第２電極の各引込部間の距離をＡとし、各突起部間の距離をＢとし、前記放電空間内の放電ガスの圧力をＰとする時、前記Ａ、ＢおよびＰは「１８０≦（Ａ＋Ｂ）＋Ｐ×０．１≦２４０」の関係を満足することを特徴とするＰＤＰを提供する。
【００１４】
本発明の他の特徴によれば、前記一対の第１電極および第２電極の引込部は各電極の中心部に備えられる。
【００１５】
本発明のまた他の特徴によれば、前記一対の第１電極および第２電極の突起部は各電極の少なくとも一側部に備えられる。
【００１６】
本発明のさらに他の特徴によれば、前記一対の第１電極および第２電極の突起部は各電極の両側部に備えられ、互いに対称である。
【００１７】
本発明のさらに他の特徴によれば、前記一対の第１電極および第２電極の引込部は前記突起部から所定の曲率を持つ曲線状に湾曲されている。
【００１８】
本発明のさらに他の特徴によれば、前記第１および第２電極は互いに対向する方向に突出した突出電極を持ち、前記引込部および突起部は前記突出電極に備えられる。
【００１９】
この時、前記第１および第２電極の突出電極は互いに対向する方向の反対側端部が各放電セルの中心部から遠ざかるほど幅が狭くなるように備えられる。
【００２０】
本発明のさらに他の特徴によれば、前記第１および第２電極はそれぞれバス電極および前記バス電極から互いに対向する方向に延びた透明電極で備えられ、前記引込部および突起部は前記透明電極に備えられ、前記第１および第２電極の透明電極は互いに対向する方向の反対側端部が各放電セルの中心部から遠ざかるほど幅が狭くなるように備えられる。
【００２１】
本発明のさらに他の特徴によれば、前記隔壁は前記アドレス電極の間に前記アドレス電極に沿って延びる。
【００２２】
本発明のさらに他の特徴によれば、前記隔壁は前記放電セルを取り囲むように備えられた格子状である。
【００２３】
本発明のさらに他の特徴によれば、前記隔壁は前記放電セルの周囲に非放電領域をさらに区画するように備えられる。
【００２４】
本発明のさらに他の特徴によれば、前記隔壁は前記放電セルを取り囲む八角形構造である。
【００２５】
本発明のさらに他の特徴によれば、前記放電空間内の放電ガスの圧力は４５０Ｔｏｒｒ以上であり、前記放電空間内の放電ガスの圧力は６００Ｔｏｒｒ以下である。
【００２６】
本発明のさらに他の特徴によれば、前記維持放電の開始電圧は１８０Ｖ以上２４０Ｖ以下である。
【００２７】
本発明のさらに他の特徴によれば、前記放電ガスは少なくともキセノンを含み、前記放電ガスのうちキセノンの分圧は少なくとも１０％である。
【００２８】
本発明はまた、前記のような技術的課題を解決するために、それぞれ互いに対向する方向に延びて維持放電を起こす１対の第１電極および第２電極が複数個配設され、前記第１電極と第２電極との互いに対向する端部に少なくとも一つの引込部および突起部がそれぞれ備えられた第１基板と、前記第１基板に対向してその間に放電空間が介在され、前記第１および第２電極と交差するアドレス電極が複数個配設された第２基板と、前記第１基板と第２基板との間で前記放電空間を複数個の放電セルに区画する隔壁と、前記各放電セルに形成された蛍光体と、を含み、前記放電空間内の放電ガスの圧力が４５０Ｔｏｒｒ以上であることを特徴とするＰＤＰを提供する。
【００２９】
本発明の他の特徴によれば、前記一対の第１電極および第２電極の引込部は各電極の中心部に備えられる。
【００３０】
本発明のまた他の特徴によれば、前記一対の第１電極および第２電極の突起部は各電極の少なくとも一側部に備えられる。
【００３１】
本発明のさらに他の特徴によれば、前記一対の第１電極および第２電極の突起部は各電極の両側部に備えられ、互いに対称である。
【００３２】
本発明のさらに他の特徴によれば、前記一対の第１電極および第２電極の引込部は前記突起部から所定の曲率を持つ曲線状に湾曲される。
【００３３】
本発明のさらに他の特徴によれば、前記第１および第２電極は互いに対向する方向に突出した突出電極を持ち、前記引込部および突起部は前記突出電極に備えられる。
【００３４】
本発明のさらに他の特徴によれば、前記第１および第２電極の突出電極は互いに対向する方向の反対側端部が各放電セルの中心部から遠ざかるほど幅が狭くなるように備えられる。
【００３５】
本発明のさらに他の特徴によれば、前記第１および第２電極はそれぞれバス電極および前記バス電極から互いに対向する方向に延びた透明電極で備えられ、前記引込部および突起部は前記透明電極に備えられる。
【００３６】
本発明のさらに他の特徴によれば、前記第１および第２電極の透明電極は互いに対向する方向の反対側端部が各放電セルの中心部から遠ざかるほど幅が狭くなるように備えられる。
【００３７】
本発明のさらに他の特徴によれば、前記隔壁は前記アドレス電極の間に前記アドレス電極に沿って延びる。
【００３８】
本発明のさらに他の特徴によれば、前記隔壁は前記放電セルを取り囲むように備えられた格子状である。
【００３９】
本発明のさらに他の特徴によれば、前記隔壁は前記放電セルの周囲に非放電領域をさらに区画するように備えられる。
【００４０】
この時、前記隔壁は前記放電セルを取り囲む八角形構造である。
【００４１】
本発明のさらに他の特徴によれば、前記放電空間内の放電ガスの圧力は６００Ｔｏｒｒ以下である。
【００４２】
本発明のさらに他の特徴によれば、前記維持放電の開始電圧は１８０Ｖ以上２４０Ｖ以下である。
【００４３】
本発明のさらに他の特徴によれば、前記放電ガスは少なくともキセノンを含み、前記放電ガスのうちキセノンの分圧は少なくとも１０％である。
【発明の効果】
【００４４】
本発明によるＰＤＰによれば、次のような効果を得られる。
【００４５】
第１に、放電ガスのガス圧と維持電極間のギャップを調節して放電開始電圧を低めると同時に効率を増大させうる。
【００４６】
第２に、維持電極の面積を縮少して開口率を向上させることができ、単位画素のサイズを縮小して高精細化を可能にする。
【００４７】
第３に、放電ガスのガス圧増大により輝度が向上する。
【発明を実施するための最良の形態】
【００４８】
以下、添付された図面を参考として本発明の望ましい実施の形態をより詳細に説明する。
【００４９】
図３は、本発明の望ましい一実施の形態によるＰＤＰの部分分解斜視図である。
【００５０】
図３を参照すれば、本発明の望ましい一実施の形態によるＰＤＰは第１基板２１と第２基板２２とが互いに対向して配置され、これら第１および第２基板２１、２２の間にはネオン（Ｎｅ）やキセノン（Ｘｅ）などの放電ガスが充填されて放電空間Ｓを構成し、基板のエッジがフリットガラス（図示せず）のような密封材により封合されて結合される。
【００５１】
前記第１基板２１の前記第２基板２２に向いた面には第１電極２３および第２電極２４が互いに対をなすように複数個配設されているが、たとえば、ストライプのような所定のパターンをなすように配設される。これら第１および第２電極２３、２４はそれぞれ共通電極および走査電極に該当するＸ電極およびＹ電極になり、維持放電を起こす放電維持電極に該当する。
【００５２】
前記第１および第２電極２３、２４は透明導電体であるＩＴＯ（Ｉｎｄｉｕｍ Ｔｉｎ Ｏｘｉｄｅ）で形成された透明電極２３ａ、２４ａと、各電極のライン抵抗を補完するために銀（Ａｇ）や金（Ａｕ）よりなるバス電極２３ｂ、２４ｂで備えられる。前記のような第１および第２電極の透明電極２３ａ、２４ａおよびバス電極２３ｂ、２４ｂはフォトリソグラフィ法や、スクリーン印刷法などにより形成できる。この時、前記バス電極２３ｂ、２４ｂには黒色添加材を付加してコントラストを向上させることもある。前記第１および第２電極２３、２４に関するさらに詳細な説明は後述する。
【００５３】
前記第１基板２１には第１および第２電極２３、２４を覆うように第１誘電体層２５が形成され、この第１誘電体層２５を覆うようにＭｇＯ等によりスパッタや蒸着によって形成されたＭｇＯ層２６が備えられる。前記ＭｇＯ層２６は放電時に陰極の機能も兼備する。
【００５４】
一方、第２基板２２の前記第１基板２１に向う面にはアドレス電極２７が前記第１および第２電極２３、２４に直交するように配設される。
【００５５】
前記のような第１電極２３、第２電極２４およびアドレス電極２７の構造およびパターンはそれ以外にも設計条件によって多様に変形できることはもちろんである。
【００５６】
前記第２基板２２にはこのアドレス電極２７を覆うように第２誘電体層２８が形成されているが、この第２誘電体層２８はパネル全体の輝度を向上させるように白色であることが望ましい。
【００５７】
前記第２誘電体層２８の上には前記各アドレス電極２７の間に隔壁２９が形成されて前記放電空間Ｓを複数個の放電セル３１に区画する。この隔壁２９は隣接した放電セルとの光のクロストークを防止する。前記隔壁２９の内側面および隔壁２９で取り囲まれた第２誘電体層２８の上面には蛍光体３０が塗布される。前記蛍光体３０はカラー画面を具現するために前記隔壁２９により区画された空間内に赤色（Ｒ）、緑色（Ｇ）、青色（Ｂ）で形成される。前記放電セル３１は内部に放電ガスを含んでいてアドレス電圧または放電維持電圧などが印加されれば内部で放電が起きるように予定された空間である。
【００５８】
一方、前記隔壁２９は放電セルを区画できるものであればいかなる構造にも適用可能であるが、図３に図示された本発明の望ましい一実施の形態のように、連続した八角形構造に形成して放電セル３１およびそれに隣接した領域に非放電領域３２を区画できる。
【００５９】
前記非放電領域３２は内部に別途の電圧が印加されず、したがって放電または発光が起きない領域に該当する。この非放電領域３２は各放電セル３１の周囲に配置されるものであって、八角形の隔壁構造により放電セル３１が区画されるので各八角形間の空間に位置する。
【００６０】
一方、前記放電セル３１は第１および第２電極２３、２４側に隣接したもの同士で少なくとも一つの隔壁を共有するように形成され、アドレス電極２７側の端部の幅Ｗｅが中心部での幅Ｗｃより狭くなるように形成されている。一方、たとえ図面に図示されていないとしても、前記放電セル３１はその端部での深さが中心部での深さより浅くなるように備えられうる。したがって、放電セル３１のガス放電の強度が相対的に弱い端部で蛍光体３０と第１、２電極２３、２４間の間隔を狭めることができ、結果的に蛍光体３０を第１、２電極とさらに近い距離に配置して放電時に発生する真空紫外線の可視光への変換効率を向上させうる。
【００６１】
前記のような隔壁の構造はこれに限定されるものではなく、多様に形成できるが、図４で分かるように、アドレス電極２７が形成されたパターンに沿ってストライプ状に形成されることもあり、図５で分かるように、格子状に形成されることもある。
【００６２】
次に、本発明の第１電極２３および第２電極２４を説明する。本発明の第１電極２３および第２電極２４は図３で分かるように、各放電セル３１側に突出した突出電極を持ち、この突出電極により維持放電が起きる。この突出電極が各透明電極２３ａ、２４ａとなる。
【００６３】
各透明電極２３ａ、２４ａは図６および図７で分かるように、互いに対向する方向の端部に引込部２３ｃ、２４ｃおよび突起部２３ｄ、２４ｄを具備する。この引込部２３ｃ、２４ｃおよび突起部２３ｄ、２４ｄは少なくとも一つ以上備えられるが、本発明の望ましい一実施の形態によれば、前記引込部２３ｃ、２４ｃは各透明電極２３ａ、２４ａの中心部に一つ備えられ、突起部２３ｄ、２４ｄは側部に備えられるが、望ましくは、引込部２３ｃ、２４ｃを中心に各透明電極２３ａ、２４ａの両側部に対称的に備えられる。
【００６４】
したがって、一対の透明電極２３ａ、２４ａは図６で分かるように、互いに対向する部分で引込部２３ｃ、２４ｃによりロングギャップＡを形成し、突起部２３ｄ、２４ｄによりショートギャップＢを形成する。図６で分かるように、ロングギャップＡはショートギャップＢより長い距離となる。
【００６５】
一方、透明電極２３ａ、２４ａ間の維持放電は透明電極２３ａ、２４ａ間のギャップから始まるが、本発明によれば、維持放電がショートギャップＢから始まってロングギャップＡに広まりつつ放電セル全体に放電が拡散される。
【００６６】
前記透明電極２３ａ、２４ａの引込部２３ｃ、２４ｃは放電を中央に集中させて安定した放電を起こし、突起部２３ｄ、２４ｄは透明電極２３ａ、２４ａ間のギャップを縮めて放電開始電圧Ｖｆを低めうる。
【００６７】
前記透明電極２３ａ、２４ａの引込部２３ｃ、２４ｃは図７で分かるように、前記突起部２３ｄ、２４ｄから所定の曲率を持つ曲線状に湾曲されるように形成できるが、引込部２３ｃ、２４ｃと突起部２３ｄ、２４ｄとの連結部Ｃは引込部２３ｃ、２４ｃに向って緩慢な傾斜度を持って中心部に向うように傾いて形成される。この連結部Ｃは放電の拡散を利用して主放電をロングギャップＡ側に誘導する役割をする。放電は放電開始電圧に至るまでは起きないが、一応放電が起きて放電の回数が増加すれば幾何級数的に起きて周囲に拡散される。このような拡散を通じてロングギャップＡに主放電が誘導されるのである。
【００６８】
もちろん、突起部２３ｄ、２４ｄは図８および図９で分かるように、曲線状に湾曲されずに前記引込部２３ｃ、２４ｃだけ曲率を持つように形成できる。この場合にも前述したように、放電開始電圧Ｖｆを低める効果が得られる。
【００６９】
前記のような引込部２３ｃ、２４ｃおよび突起部２３ｄ、２４ｄは一対の第１および第２電極のうちいずれか一つの電極にのみ形成される。
【００７０】
一方、前記透明電極２３ａ、２４ａは、各放電セルのエッジに対応する外側エッジが内側に凹んで形成された連結部２３ｅ、２４ｅを持つ。この連結部２３ｅ、２４ｅは突出電極の透明電極２３ａ、２４ａの突出開始部、すなわち、バス電極２３ｂ、２４ｂとの連結部位に該当するものであって、この連結部２３ｅ、２４ｅは放電に寄与するところが少ないために開口率を高めるために他部より幅を狭く形成する。
【００７１】
このような連結部２３ｅ、２４ｅは図８のように、突起部２３ｄ、２４ｄは曲線状に湾曲されず、前記引込部２３ｃ、２４ｃのみ曲率を持つように形成した実施の形態にも同一に適用でき、図９のように、透明電極２３ａ、２４ａ全体の幅と同一になるように備えられる。
【００７２】
前記のような構造を持つ本発明で、前記ロングギャップＡ、ショートギャップＢおよび放電空間内での放電ガスの圧力Ｐが下記数式１を満足することによって放電開始電圧Ｖｆを低めると同時に効率を高めた。
【００７３】
【数１】
2005063954.tif 000003
放電ガスは前述したように、キセノンが含まれているものを使用するが、この時、キセノンがガス分圧で１０％以上含まれた高キセノンの放電ガスを使用できる。
【００７４】
一方、放電ガスはその圧力Ｐが高まるにつれて効率が増大する。すなわち、放電ガスのガス圧Ｐが高まればこれによりキセノンガスの量が多くなり、結果的に励起されうる粒子の数が多くなる。したがって、輝度が増大して結局効率が向上する。
【００７５】
しかし、このように放電ガスのガス圧Ｐが高まれば、電子の運動量が減少して電子の温度が落ちる恐れがあり、それにより放電の開始のための放電開始電圧Ｖｆを高めねばならない問題がある。ところで、前記のような放電開始電圧Ｖｆにかかる問題は、電極間のギャップが狭まればそれによる電界の増加により解決できる。すなわち、電極間ギャップを狭めることにより放電開始電圧を低めることができる。
【００７６】
本発明によるＰＤＰではショートギャップＢにより放電開始電圧Ｖｆを低めることができる。したがって、突出電極である第１および第２電極２３、２４間のギャップＡ、Ｂとガス圧Ｐとの関係を適切に調整すれば効率が向上しつつも放電開始電圧Ｖｆを低められる。
【００７７】
一方、ロングギャップＡおよびショートギャップＢはその差があまり大きければ、ショートギャップＢで発生した放電がロングギャップＡに十分に拡散され難くなる。ロングギャップＡとショートギャップＢとの差は約３０ないし５０μｍを維持することが望ましい。
【００７８】
したがって、放電開始電圧Ｖｆを低めるためにショートギャップＢを狭めれば、それと合わせてロングギャップＡも狭めなければならないので、ロングギャップＡとショートギャップＢとを加えた新しい変数をＣ（Ｃ＝Ａ＋Ｂ）としてさらに設定した。
【００７９】
また、放電ガスのガス圧Ｐと前記Ｃ値とは反比例関係を持つ。すなわち、前述したように、ガス圧Ｐを高めれば放電開始電圧Ｖｆが高まり、これを低めるためにショートギャップＢを狭めるが、このショートギャップＢとの差を一定に保持するためにロングギャップＡも狭まる。したがって、結果的にＣ値は減る。
【００８０】
本発明者は前記のようなＣ値とガス圧Ｐに０．１を乗算した値とを加えて下記のように新しい関数を定義した。
【００８１】
ｆ＝Ｃ＋Ｐ×０．１
この新しい関数ｆと放電開始電圧Ｖｆとの関係を図１０に図示した。
【００８２】
図１０は、前記関数ｆの変数であるＣおよびＰを可変させてｆの値を変えることによってＶｆ値がどのように変わるかを示したものである。
【００８３】
図１０で分かるように、放電開始電圧Ｖｆは１８０Ｖを最低値としている。放電開始電圧Ｖｆは２１０Ｖを超過しないことが望ましい。これによりＣおよびＰが適正な値を持つ時、放電開始電圧Ｖｆは１８０以上２１０以下となることが分かる。このように適正なＣおよびＰ値はｆ値が１８０以上２４０以下である時に得られる。すなわち、ｆ値が１８０以上２４０以下になった時に放電開始電圧Ｖｆは１８０Ｖないし２１０Ｖの範囲となって最適値を得られる。これによれば、ガス圧の条件によって適正な放電開始電圧を得られるＣ値、すなわち、ロングギャップおよびショートギャップの値を得られる。
【００８４】
一方、前記のように適正の放電開始電圧を得るために得た関数であるｆは下の表１で分かるように、適正のガス圧Ｐによって最適の効率を出すことができる。
【００８５】
【表１】
2005063954.tif 000004
前記表１ではガス圧Ｐが２５０Ｔｏｒｒである時を効率が１の場合とし、ガス圧を順次可変させることによる効率の変化を示した。そして、ガス圧によるＣの適正値は各ガス圧で放電開始電圧を１８０〜２１０Ｖに維持できる適正なＣ値の範囲を示し、それによりｆ値が定められた。
【００８６】
表１で分かるように、ガス圧Ｐが増大した時に効率は増大したことが分かるが、特に、ガス圧が４５０Ｔｏｒｒ以上になった時に効率が大幅に増大したことが分かる。ガス圧が６００Ｔｏｒｒより大きくなった場合には適切なパネル駆動がなされないので、ガス圧は６００Ｔｏｒｒ以下にすることが望ましい。
【００８７】
本明細書では本発明を限定された実施の形態を中心に説明したが、本発明の思想的範囲内で多様な実施の形態が可能である。また説明されていないが、均等な手段も本発明にそのまま結合されるといえる。したがって、本発明の真の保護範囲は特許請求の範囲によって定められねばならない。
【産業上の利用可能性】
【００８８】
本発明はテレビ等の大型表示装置に使用可能である。
【図面の簡単な説明】
【００８９】
【図１】一般的なＰＤＰの構造に対する概略的な分解斜視図である。
【図２】図１の放電維持電極の平面図である。
【図３】八角形の隔壁構造を持つ本発明の望ましい一実施の形態によるＰＤＰを図示した部分分解斜視図である。
【図４】ストライプ型の隔壁構造を持つ本発明の望ましい他の一実施の形態によるＰＤＰを図示した部分分解斜視図である。
【図５】格子状の隔壁構造を持つ本発明の望ましいまた他の一実施の形態によるＰＤＰを図示した部分分解斜視図である。
【図６】本発明の第１および第２電極の一実施の形態を示す平面図である。
【図７】図６の電極のうち透明電極を示す平面図である。
【図８】本発明の第１および第２電極の他の一実施の形態を示す平面図である。
【図９】本発明の第１および第２電極のまた他の一実施の形態を示す平面図である。
【図１０】本発明によるロングギャップ、ショートギャップおよびガス圧の関数と放電開始電圧との関係を示すグラフである。
【符号の説明】
【００９０】
２１    第１基板、
２２    第２基板、
２３    第１電極、
２４    第２電極、
２３ａ、２４ａ    透明電極、
２３ｂ、２４ｂ    バス電極、
２５    第１誘電層、
２６    ＭｇＯ層、
２７    アドレス電極、
２８    第２誘電層、
２９    隔壁、
３０    蛍光体、
３１    放電セル、
３２    非放電領域、
Ａ    ロングギャップ、
Ｂ    ショートギャップ、
Ｓ    放電空間。
【図１】
2005063954.tif 000006
【図２】
2005063954.tif 000007
【図３】
2005063954.tif 000008
【図４】
2005063954.tif 000009
【図５】
2005063954.tif 000010
【図６】
2005063954.tif 000011
【図７】
2005063954.tif 000012
【図８】
2005063954.tif 000013
【図９】
2005063954.tif 000014
【図１０】
2005063954.tif 000015